(57)【要約】【課題】目地材が取り付けられた状態にあるとき、リップ部の変形による見栄えの悪化を防止できる目地材を提供する。【解決手段】建物の外壁を構成するパネル１間の目地５に取り付けられる。目地材１０の主体部を構成する目地本体１１は、頭部１２と、この頭部１２の背面側から突出して目地５に差し込まれる脚部１３と、頭部１２の幅方向両側のうち少なくとも片側から張り出して頭部１２と協働して目地５の開口側を覆うリップ部１６とを備える。頭部１２及びリップ部１６の表面側のうち、頭部１２とリップ部１６との間には、頭部１２側に凹部１４が、リップ部１６側に凸部１５が形成される。頭部１２、凹部１４、凸部１５、及びリップ部１６の表面にわたって薄膜３０が設けられる。目地材１０が取り付けられてリップ部１６が凹部１４を支点として目地５の開口側へ変形したとき、凸部１５が凹部１４の谷部を覆う。【選択図】図１
2016023526.tif 000002
【特許請求の範囲】
【請求項１】
建物の外壁を構成するパネル間の目地に取り付けられる目地材であって、
前記目地材の主体部を構成する目地本体は、頭部と、この頭部の背面側から突出して前記目地に差し込まれる脚部と、前記頭部の幅方向両側のうち少なくとも片側から張り出して前記頭部と協働して前記目地の開口側を覆うリップ部とを備え、
前記頭部及び前記リップ部の表面側のうち、前記頭部と前記リップ部との間には、前記頭部側に凹部が、前記リップ部側に凸部がそれぞれ形成され、
前記頭部、前記凹部、前記凸部、及び前記リップ部のそれぞれの表面にわたって薄膜が設けられ、
前記目地に前記目地材が取り付けられて前記リップ部が前記凹部の谷部を支点として前記目地の開口側へ変形したとき、前記凸部が前記凹部の少なくとも谷部を覆うことを特徴とする目地材。
【請求項２】
請求項１に記載の目地材であって、
凸部と凹部は連続して形成されていることを特徴とする目地材。
【請求項３】
請求項１又は２に記載の目地材であって、
リップ部が自由状態にあるとき、凹部のうち頭部側の上端部（Ａ）と、前記凹部の谷部（Ｂ）とを結ぶ線（Ａ−Ｂ）と、前記凹部の谷部（Ｂ）と凸部の山部（Ｃ）とを結ぶ線（Ｂ−Ｃ）との交差する角度（θ）は、鋭角であることを特徴とする目地材。
【請求項４】
請求項１〜３のいずれか一項に記載の目地材であって、
リップ部が自由状態にあるとき、凹部の谷部（Ｂ）と凸部の山部（Ｃ）との間の距離寸法（Ｌ１）は、前記凹部のうち頭部側の上端部（Ａ）と、前記凹部の谷部（Ｂ）との間の距離寸法（Ｌ２）よりも大きく設定されていることを特徴とする目地材。
【請求項５】
請求項１〜４のいずれか一項に記載の目地材であって、
リップ部は、自由状態において先端が脚部側に向かう方向へ傾斜していることを特徴とする目地材。
【請求項６】
請求項１〜５のいずれか一項に記載の目地材であって、
頭部の幅方向両側に、凸部と凹部を介してリップ部がそれぞれ形成されていることを特徴とする目地材。
【請求項７】
請求項１〜６のいずれか一項に記載の目地材であって、
薄膜は、塗装による塗膜であることを特徴とする目地材。
【発明の詳細な説明】
【技術分野】
【０００１】
この発明は、建物の外壁を構成するパネル間の目地（隙間）に取り付けられる目地材に関する。
【背景技術】
【０００２】
建物の外壁を構成する複数のパネルのうち、隣接するパネル間の目地（隙間）に取り付けられる目地材において、その主体部を構成する目地本体が、頭部と、この頭部の背面側から突出して目地に差し込まれる脚部と、頭部の幅方向両側のうち少なくとも片側から張り出して頭部と協働して目地の開口側を覆うリップ部とを備えた構造のものがある。また、目地材の頭部及びリップ部の表面側に薄膜が設けられたものが知られている（例えば、特許文献１参照）。
【先行技術文献】
【特許文献】
【０００３】
【特許文献１】特開平８−１３５０３４号公報
【発明の概要】
【発明が解決しようとする課題】
【０００４】
前記したように、頭部及びリップ部の表面側に薄膜が設けられた目地材において、隣接するパネル間の目地に目地材が取り付けられた状態では、リップ部が目地の開口側へ変形する。このリップ部の変形によって薄膜に皺やひび割れが発生し、外観意匠（見栄え）が悪化することが想定される。
【０００５】
この発明の目的は、前記問題点に鑑み、目地材が取り付けられた状態にあるとき、リップ部の変形による見栄えの悪化を防止できる目地材を提供することである。
【課題を解決するための手段】
【０００６】
前記課題を解決するために、請求項１の発明に係る目地材は、建物の外壁を構成するパネル間の目地に取り付けられる目地材であって、前記目地材の主体部を構成する目地本体は、頭部と、この頭部の背面側から突出して前記目地に差し込まれる脚部と、前記頭部の幅方向両側のうち少なくとも片側から張り出して前記頭部と協働して前記目地の開口側を覆うリップ部とを備え、前記頭部及び前記リップ部の表面側のうち、前記頭部と前記リップ部との間には、前記頭部側に凹部が、前記リップ部側に凸部がそれぞれ形成され、前記頭部、前記凹部、前記凸部、及び前記リップ部のそれぞれの表面にわたって薄膜が設けられ、前記目地に前記目地材が取り付けられて前記リップ部が前記凹部の谷部を支点として前記目地の開口側へ変形したとき、前記凸部が前記凹部の少なくとも谷部を覆うことを特徴とする。
【０００７】
請求項１の発明によれば、目地に目地材が取り付けられると、リップ部が凹部の谷部を支点として目地の開口側へ屈曲して変形する。このとき、凸部が凹部の少なくとも谷部を覆う。このため、仮に、凹部の谷部に設けられた薄膜に皺やひび割れが発生したとしても、その皺やひび割れが凸部によって覆い隠される。この結果、目地材の見栄えの悪化を防止することができる。
【０００８】
請求項２の発明に係る目地材は、請求項１に記載の目地材であって、凸部と凹部は連続して形成されていることとしたものである。
【０００９】
請求項２の発明によれば、請求項１又は２の発明の効果に加えて、凸部と凹部が連続することによって、凸部で凹部を良好に覆い隠すことができる。
【００１０】
請求項３の発明に係る目地材は、請求項１又は２に記載の目地材であって、リップ部が自由状態にあるとき、凹部のうち頭部側の上端部（Ａ）と、前記凹部の谷部（Ｂ）とを結ぶ線（Ａ−Ｂ）と、前記凹部の谷部（Ｂ）と凸部の山部（Ｃ）とを結ぶ線（Ｂ−Ｃ）との交差する角度（θ）は、鋭角であることとしたものである。
【００１１】
請求項３の発明によると、請求項１又は２の発明の効果に加えて、目地に対する目地材の取付状態において、リップ部の目地の開口側への変形量が小さい場合においても、凸部によって凹部を良好に覆い隠すことができる。
【００１２】
請求項４の発明に係る目地材は、請求項１〜３のいずれか一項に記載の目地材であって、リップ部が自由状態にあるとき、凹部の谷部（Ｂ）と凸部の山部（Ｃ）との間の距離寸法（Ｌ１）は、前記凹部のうち頭部側の上端部（Ａ）と、前記凹部の谷部（Ｂ）との間の距離寸法（Ｌ２）よりも大きく設定されていることとしたものである。
【００１３】
請求項４の発明によると、請求項１〜３のいずれかの発明の効果に加えて、目地に対する目地材の取付状態において、凸部によって凹部全体を良好に覆い隠すことができる。
【００１４】
請求項５の発明に係る目地材は、請求項１〜４のいずれか一項に記載の目地材であって、リップ部は、自由状態において先端が脚部側に向かう方向へ傾斜していることとしたものである。
【００１５】
請求項５の発明によれば、請求項１〜４のいずれかの発明の効果に加えて、リップ部に外力が加わっていない自由状態においてリップ部の先端が脚部側に向かう方向へ傾斜しているため、目地材を目地に取り付けてリップ部が凹部の谷部を支点として目地の開口側へ屈曲して変形するとき、自由状態から取付状態までのリップ部の変形量が、リップ部の傾斜分だけ大きくなる。このため、目地の目地幅が広く、リップ部の目地の開口側への変形量が小さい場合においても、リップ部は自由状態から取付状態までの変形量を充分に確保して、凸部によって凹部を良好に覆い隠すことができる。
【００１６】
請求項６の発明に係る目地材は、請求項１〜５のいずれか一項に記載の目地材であって、頭部の幅方向両側に、凸部と凹部を介してリップ部がそれぞれ形成されている。
【００１７】
請求項６の発明によれば、請求項１〜５のいずれかの発明の効果に加えて、頭部の幅方向両側にリップ部がそれぞれ形成されるため、目地の目地幅寸法のばらつきが大きい場合においても、両リップ部がそれぞれ変形することで良好に対処することができる。また、両リップがそれぞれ変形したときに、凹部の谷部に設けられた薄膜に皺やひび割れが発生したとしても凸部で皺やひび割れを隠すことができ、目地材の見栄えの悪化を防止できる。
【００１８】
請求項７の発明に係る目地材は、請求項１〜６のいずれか一項に記載した目地材であって、薄膜は、塗装による塗膜であることとしたものである。
【００１９】
請求項７の発明によると、請求項１〜６のいずれかの発明の効果に加えて、目地材の頭部、凹部、凸部及びリップ部を覆う薄膜を塗装による塗膜で形成することで、建物の外壁を構成するパネルが塗装されている場合の外観と同等の外観を目地材に容易に付与できる。また、リップが変形したとき、凹部に設けられた薄膜（塗膜）に皺やひび割れが発生したとしても、凸部で皺やひび割れを隠すことができ、目地材の見栄えの悪化を防止できる。
【図面の簡単な説明】
【００２０】
【図１】この発明の実施例１に係る目地材を示す横断面である。
【図２】頭部、凹部、凸部、及びリップ部を拡大して示す横断面である。
【図３】建物の外壁を構成するパネル間の目地の目地幅にばらつきがあり、目地幅が基準値よりも小さい目地に目地材を取り付けた状態を示す横断面図である。
【図４】目地幅が基準値に近い目地に目地材を取り付けた状態を示す横断面図である。
【図５】目地幅が基準値よりも大きい目地に目地材を取り付けた状態を示す横断面図である。
【発明を実施するための形態】
【００２１】
この発明を実施するための形態について実施例にしたがって説明する。
【実施例１】
【００２２】
この発明の実施例１に係る目地材を図面にしたがって説明する。図１〜図３に示すように、目地材１０は、建物の外壁を構成する複数のパネルのうち、隣接する両パネル１のパネル端面２間の目地（隙間）５に取り付けられて目地５を覆う。なお、両パネル１のパネル端面２の目地５の開口側に位置する部分には、開口端に向けてしだいに開口幅が広くなるように面取り部４が形成されている。
【００２３】
図１に示すように、目地材１０は、目地本体１１と、金属製の芯金２０と、薄膜３０とを備えて構成されている。目地本体１１は、目地材１０の主体部を構成するものであり、頭部１２と、この頭部１２の背面の幅方向中央部から突出して目地５に差し込まれる脚部１３と、頭部１２の幅方向両側のうち少なくとも片側（この実施例では両側）から張り出して頭部１２と協働して目地５の開口側を覆う両リップ部１６とを備えている。また、頭部１２及び両リップ部１６の表面側のうち、頭部１２と両リップ部１６との間には、頭部１２側に凹部１４が、両リップ部１６側に凸部１５がそれぞれ連続して形成されている。さらに、両リップ部１６は、自由状態において先端が脚部１３側に向かう方向へ傾斜している。
【００２４】
また、この実施例１において、脚部１３の両側面の先端部と中間部には、第１の係止リップ部１７と第２の係止リップ部１８とがそれぞれ突出しており、これら第１の係止リップ部１７と第２の係止リップ部１８は、目地５の幅寸法よりも大きく張り出している。そして、脚部１３が目地５に差し込まれたとき、第１の係止リップ部１７と第２の係止リップ部１８は、両パネル１のパネル端面２に密接し、弾性変形して撓む。
【００２５】
すなわち、実施例１において、目地本体１１は、頭部１２と、両リップ部１６と、第１の係止リップ部１７と、第２の係止リップ部１８とを一体に備え、弾性を有するポリマー材料の押出成形によって長尺に一体成形されている。また、目地本体１１のポリマー材料としては、例えば、熱可塑性エラストマー（スチレン系エラストマー、オレフィン系エラストマー等）、塩化ビニル、ＥＰＤＭ等がある。また、目地本体１１の硬度は、ＪＩＳＫ６２５３によるデュロメータタイプＡにおいて、Ａ６０以上８０以下が好ましく、Ａ７０がさらに好ましい。
【００２６】
芯金２０は、金属板のロール加工等によって形成され、頭部補強部２１と脚部補強部２２とを一体に有して横断面Ｔ字状をなしている。そして、芯金２０は、目地本体１１の押出成形において、頭部１２と脚部１３にわたって内設されている。そして、頭部１２は頭部補強部２１によって補強され、脚部１３は脚部補強部２２によって補強されている。
【００２７】
薄膜３０は、例えば、スプレー塗装による塗膜で形成され、膜厚が１．５〜６μｍで、頭部１２、凹部１４、凸部１５、及び両リップ部１６のそれぞれの表面に薄膜状をなして設けられている。
【００２８】
また、目地５に目地材１０が取り付けられ、リップ部１６が凹部１４の谷部Ｂを支点として開口側へ変形したとき、凸部１５が凹部１４の少なくとも谷部Ｂを覆うようになっている。
【００２９】
また、この実施例１において、図２に示すように、リップ部１６が自由状態にあるとき、凹部１４の頭部１２側の上端部Ａと、凹部１４の谷部Ｂとを結ぶ線Ａ−Ｂと、凹部１４の谷部Ｂと凸部１５の山部Ｃとを結ぶ線Ｂ−Ｃとの交差する角度θは鋭角に設定されている。
【００３０】
また、この実施例１において、図２に示すように、リップ部１６が自由状態にあるとき、凹部１４の谷部Ｂと凸部１５の山部Ｃとの間の距離寸法Ｌ１は、凹部１４の頭部１２側の上端部Ａと、凹部１４の谷部Ｂとの間の距離寸法Ｌ２よりも大きく設定されている。
【００３１】
この実施例１に係る目地材は上述したように構成される。したがって、両パネル１のパネル端面２間の目地５に目地材１０を取り付ける場合、目地５の開口側から目地本体１１の脚部１３が挿入される。この際、脚部１３の第１の係止リップ部１７と第２の係止リップ部１８とが両パネル１のパネル端面２に密接し、弾性変形して撓む。さらに、頭部１２の両側の両リップ部１６は、凹部１４の谷部Ｂを支点として目地５の奥側から開口側へ屈曲して変形する。このとき、凸部１５が凹部１４の少なくとも谷部Ｂを覆う。このため、仮に、凹部１４の谷部Ｂに設けられた薄膜３０に皺やひび割れが発生したとしても、その皺やひび割れが凸部１５によって覆い隠される。この結果、目地材１０の意匠部（頭部１２、凹部１４、凸部１５、及びリップ部１６の目視可能な表面部分）の見栄えの悪化を防止することができる。
【００３２】
また、この実施例１において、頭部１２の幅方向両側に、両リップ部１６がそれぞれ形成されている。このため、目地５の目地幅寸法のばらつき、例えば、図３に示すように、目地幅寸法Ｗ１が基準値よりも小さい場合や、図４に示すように、目地幅寸法Ｗ２が基準値に近い場合や、図５に示すように、目地幅寸法Ｗ３が基準値よりも大きい場合のいずれの場合においても、両リップ部１６がそれぞれ変形することで良好に対処して目地５を隙間なく覆うことができる。また、頭部１２と両リップ部１６との間に凹部１４と凸部１５が設けられるため、両リップ部１６が変形して薄膜３０に皺やひび割れが発生しても、凸部１５で皺やひび割れを隠すことができ、目地材１０の見栄えの悪化を防止することができる。
【００３３】
また、この実施例１において、凹部１４と凸部１５が連続することによって、凸部１５で凹部１４を良好に覆い隠すことができる。
【００３４】
また、この実施例１では、図１に示すような両リップ部１６に外力が加わらない自由状態において、両リップ部１６の先端が脚部１３側に向かう方向へ傾斜している。このため、目地材１０を目地５に取り付けて両リップ部１６が凹部１４の谷部Ｂを支点として目地の奥側から開口側へ屈曲して変形するとき、自由状態から取付状態までの両リップ部１６の変形量が、リップ部１６の傾斜分だけ大きくなる。このため、目地５の目地幅寸法Ｗ３が基準値よりも広く、両リップ部１６の開口側への変形量が小さい場合においても、両リップ部１６は、自由状態から取付状態までの変形量を充分に確保することができる。この結果、凸部１５によって凹部１４を良好に覆い隠すことができる。したがって、図３〜図５に示すように、目地幅寸法が違うＷ１〜Ｗ３のどの目地に目地材１０が取り付けられても、凸部１５で凹部１４を良好に覆い隠すことができる。
【００３５】
また、この実施例１において、図２に示すように、リップ部１６が自由状態にあるとき、凹部１４の頭部１２側の上端部Ａと、凹部１４の谷部Ｂとを結ぶ線Ａ−Ｂと、凹部１４の谷部Ｂと凸部１５の山部Ｃとを結ぶ線Ｂ−Ｃとの交差する角度θは鋭角に設定されている。このため、目地材１０の取付状態において、リップ部１６の開口側への変形量が小さい場合においても、θが０°に近くなり易く、凸部１５によって凹部１４を良好に覆い隠すことができる。
【００３６】
また、この実施例１において、図２に示すように、リップ部１６が自由状態にあるとき、凹部１４の谷部Ｂと凸部１５の山部Ｃとの間の距離寸法Ｌ１は、凹部１４の頭部１２側の上端部Ａと、凹部１４の谷部Ｂとの間の距離寸法Ｌ２よりも大きく設定されている。このため、目地材１０の取付状態において、Ｂ−Ｃ間の部分でＡ−Ｂ間の部分を覆い、凸部１５によって凹部１４全体を良好に覆い隠すことができる。また、この実施例１において、目地材１０の意匠部（頭部１２、凹部１４、凸部１５及びリップ部１６）に外壁を構成するパネル１の外観に合わせて、スプレー塗装が施されて薄膜３０としての塗膜が形成さている。この場合であっても、リップ部１６が変形したとき、凹部１４に設けられた塗膜（薄膜３０）に皺やひび割れが発生したとしても、凸部１５で皺やひび割れを隠すことができ、目地材１０の見栄えの悪化を防止できる。
【００３７】
なお、この発明は前記実施例１に限定するものではなく、この発明の要旨を逸脱しない範囲内において、種々の形態で実施することができる。例えば、前記実施例１においては、薄膜３０がスプレー塗装による塗膜で形成されている場合を例示したが、塗膜は、筆、刷毛、ブラシ等による塗装で形成されていてもよく、印刷によって形成されてもよい。また、薄膜３０がフィルムによって形成されている場合においてもこの発明を実施することができる。また、前記実施例１においては、頭部１２の幅方向両側に両リップ部１６がそれぞれ形成される場合を例示したが、頭部１２の幅方向の片側にのみリップ部１６が形成されている場合においてもこの発明を実施することができる。また、芯金２０の横断面がＴ字状に形成されている場合を例示したが、他の形状でもよい。さらに、芯金２０は必ずしも配設しなくてもよく、必要に応じて配設すればよい。さらに、芯金２０に替えて樹脂製の芯材等でもよい。また、前記実施例１においては、目地材１０が自由状態にあるときリップ部１６の先端が脚部１３側に向かう方向へ傾斜している場合を例示したが、リップ部１６の先端が脚部１３側に向かう方向へ傾斜していなくてもよく、リップ部１６の先端が頭部１２側に向かう方向へ傾斜していてもよく、リップが頭部から水平に突出していてもよい。また、凹部１４と凸部１５が必ずしも連続しなくてもよく、凸部１５で凹部１４を隠せる範囲であれば離れていてもよい。また目地本体１１の形状は実施例１に限定されず、他の形状でもよい。
【符号の説明】
【００３８】
１  パネル
５  目地
１０  目地材
１１  目地本体
１２  頭部
１３  脚部
１４  凹部
１５  凸部
３０  薄膜
【図１】
2016023526.tif 000003
【図２】
2016023526.tif 000004
【図３】
2016023526.tif 000005
【図４】
2016023526.tif 000006
【図５】
2016023526.tif 000007